(57)【要約】【課題】排液経路を有する車両用カップホルダを提供する。【解決手段】カップホルダ１は、周壁１１を有するホルダ本体１０を備える。周壁１１の上下方向は開口されホルダ本体１０は筒状をなしている。周壁１１の下部には、ホルダ本体１０の下側開口部１２を閉じる底板２０が設置されている。底板２０の周縁と周壁１１との間に隙間４（排液経路）が形成されている。底板２０の上面は周縁に向かって低くなる勾配を有している。底板２０の裏側には、周縁から離れた位置に発光装置３０が配置されている。底板２０は、発光装置３０からの光を所望箇所に導く光透過性の導光板として提供されている。【選択図】  図５
2020114702.tif 000002
【特許請求の範囲】
【請求項１】
周壁を有して、その上下方向が開口する筒状のホルダ本体を備え、
上記周壁の下部には、上記ホルダ本体の下側開口部を閉じる底板が設置されており、この底板の周縁と上記周壁との間に隙間が形成されていることを特徴とする車両用カップホルダ。
【請求項２】
上記底板の上面は周縁に向かって低くなる勾配を有していることを特徴とする請求項１に記載の車両用カップホルダ。
【請求項３】
上記底板の裏側には、周縁から離れた位置に発光装置が配置され、
上記底板が、上記発光装置からの光を所望箇所に導く光透過性の導光板として提供されていることを特徴とする請求項１又は２に記載の車両用カップホルダ。
【発明の詳細な説明】
【技術分野】
【０００１】
本発明は、車両の室内に装備されて、ペットボトル等の飲料容器を収容して保持するカップホルダに関する。
【背景技術】
【０００２】
一般に、自動車等の車両の室内には、センターコンソール等に飲料容器を収容して保持するカップホルダが設けられている。
下記特許文献１に開示されているカップホルダは、底壁と周壁を有する有底容器状のホルダ本体を備え、ホルダ本体の上方から挿し入れられた飲料容器を収容保持している。底壁の裏側には、ホルダ本体内に光をあてて明るくするための発光装置が設けられており、底壁には発光装置からの光を通すための貫通孔が形成されている。底壁の上面には、底壁全体を覆うように導光板が設置されている。導光板は、底壁の周縁部に沿う部位に光出射部を有しており、導光板の上面には、光出射部を除いて導光板を覆う遮光部材が設けられている。発光装置からの光は、底壁の貫通孔を介して導光板に入射し、光出射部に導かれて出射してホルダ本体の周壁を照らしている。
【先行技術文献】
【特許文献】
【０００３】
【特許文献１】特開２０１５−２２９４５５号公報
【発明の概要】
【発明が解決しようとする課題】
【０００４】
上記カップホルダにおいては、排液経路が設けられていなかった。そのため、ホルダ本体内に収容された飲料容器外面に結露して流れ落ちた水滴や、走行中の振動やその他の要因により飲料容器からホルダ本体内にこぼれた飲料等の液体が、ホルダ本体の底に長期間にわたって留まることになった。また、光出射部の表面は遮光部材の表面よりも低く形成されているため、液体が光出射部に溜まると、照明効果を妨げることになった。さらに、ホルダ本体内に溜まった液体が漏れ出た場合、液体が底壁の貫通孔から下に落ちて、電気部品である発光装置が液体をかぶって濡れて（被水して）、故障する恐れがあった。
【課題を解決するための手段】
【０００５】
上記課題の少なくとも１つを解決するために、本発明の車両用カップホルダは、周壁を有して、その上下方向が開口する筒状のホルダ本体を備え、上記周壁の下部には、上記ホルダ本体の下側開口部を閉じる底板が設置されており、この底板の周縁と上記周壁との間に隙間が形成されていることを特徴とする。
【０００６】
上記構成によれば、底板の周縁と周壁の隙間によりカップホルダに排液経路が確保される。飲料容器から飲料がカップホルダ内にこぼれ出る等しても、カップホルダ内の液体を排液経路から下方に排出させることができる。これにより、カップホルダ内に液体が溜まることを防止できる。
【０００７】
好ましくは、上記底板の上面は周縁に向かって低くなる勾配を有している。
上記構成によれば、カップホルダ内の液体は、底板の周縁にある隙間に向かって流れるため排液性を高めることができる。
【０００８】
好ましくは、上記底板の裏側には、周縁から離れた位置に発光装置が配置され、上記底板が、上記発光装置からの光を所望箇所に導く光透過性の導光板として提供されている。
上記構成によれば、底板が導光板を兼ねることにより、排液経路である隙間を有するカップホルダに、部品点数を減らした簡素な構成により照明を提供することができる。飲料容器から飲料がこぼれ出る等、カップホルダ内に液体が入ったとしても、液体は隙間から排出されカップホルダ内に溜まらないので、照明効果を妨げられない。発光装置は、排液経路（隙間）のある底板の周縁から離れて設置されているので、被水による故障を防ぐことができる。
【発明の効果】
【０００９】
本発明によれば、排液経路を有する車両用カップホルダを提供することができる。
【図面の簡単な説明】
【００１０】
【図１】本発明の一実施形態に係る車両用カップホルダが設けられたセンターコンソールの斜視図である。
【図２】同センターコンソールのカップホルダを拡大して示す平面図である。
【図３】同カップホルダの分解斜視図である。
【図４】図２のIV−IV線に沿う拡大断面図である。
【図５】図２のV−V線に沿う要部拡大断面図である。
【発明を実施するための形態】
【００１１】
以下、本発明の一実施形態をなす車両用カップホルダについて、図１〜図５を参照して説明する。
図１、図２に示すように、カップホルダ１は、自動車における運転席と助手席を隔てるセンターコンソール２に設けられている。図３に示すように、カップホルダ１は、ホルダ本体１０と、底板２０と、発光装置３０と、遮蔽板４０と、パーティション５０とを備えている。
【００１２】
図３に示すように、ホルダ本体１０は、上下方向が開口する周壁１１を有し、筒状をなしている。周壁１１は横断面が略長円形状をなしており、その長辺をなす一対の壁部の中央部間には、下側開口部１２を跨ぐように架橋部１３が設けられるとともに、パーティション５０が配置され、ホルダ本体１０内を２分割している。これにより、ホルダ本体１０内には、２つの容器収容空間１４，１４が形成されている。
【００１３】
パーティション５０は、ホルダ本体１０内の飲料容器３を押圧して保持する２枚のフラップ５１と、容器収容空間１４，１４に面する一対の立壁５２，５２を有している。これら立壁５２は対向するとともに上部で互いに連なっている。図３に示すように、各立壁５２の両側部の下部には、向かい合う立壁５２に向かって突出する嵌合突起５３が設けられている。この嵌合突起５３が、ホルダ本体１０の周壁１１の長辺部分の下部に設けられた嵌合凹部１１ａに嵌合することにより、パーティション５０はホルダ本体１０に取り付けられている。
【００１４】
パーティション５０の各立壁５２の中央部には、矩形のフラップ収容部５２ａが形成され、フラップ５１の少なくとも一部が収容されるようになっている。フラップ収容部５２ａの上部において、フラップ５１は、ホルダ本体１０の短手方向に延びる回動軸線を中心に回動可能に支持され、コイルばね５４により突出方向に付勢されている。
【００１５】
底板２０は、ホルダ本体１０内に収容された飲料容器３を支持する底部としての機能と、発光装置３０から入射された光を所望箇所に導く導光板としての機能とを果たすものである。
底板２０は、周壁１１の下部に設置され、ホルダ本体１０の下側開口部１２を閉じている。底板２０は、下側開口部１２より小さく相似する平面形状を有している。底板２０には、光透過性を有する導光樹脂材料、例えば、アクリルやポリカーボネートの樹脂などが用いられる。この実施形態の底板２０は、無色透明である。
【００１６】
底板２０の下面には、複数の係止爪２１が設けられている。この実施形態では、一方の
容器収容空間１４の側に２つ、他方の側に３つ設けられている。これら係止爪２１に対応して、上記ホルダ本体１０の周壁１１の下部には複数の係止部１５が下側開口部１２内に突出するように設けられている。各係止部１５には、係止穴１５ａが形成されている。各係止爪２１が各係止穴１５ａに係止されることにより、底板２０はホルダ本体１０に取り付けられている。これにより、カップホルダ１は、収容物を支持する底部を有し、各容器収容空間１４で飲料容器３を収容可能となる。
【００１７】
図４、図５に示すように、底板２０は下側開口部１２よりわずかに小さいため、底板２０の外周縁と周壁１１との間には全周にわたって隙間４が形成される。この隙間４はカップホルダ１の排液経路として提供される。底板２０の上面（表側の面）は、その外周縁に向かって低くなる勾配を有している。
【００１８】
一方の容器収容空間１４側における底板２０の下面には、発光装置３０を保持するための一対の保持板部２２，２２が設けられている。保持板部２２，２２は、底板２０の外周縁から離れて配置されており、それぞれ係止穴を有している。これら保持板部２２，２２の係止穴に、発光装置３０の両側壁面に設けられた係止爪３０ａ，３０ａがそれぞれ係止されることにより、発光装置３０が底板２０に取り付けられている。発光装置３０の光源３１には、電球やＬＥＤ（発光ダイオード）などが用いられる。光源３１として必要に応じて所望の発光色を有するものを採用してもよい。尚、発光装置３０は、この実施形態では図４に示すように、センターコンソール２内に設けられたダクト５を避けるため、底板２０の中心からずらして配置されているが、底板２０の外周縁から離れている限り、いかなる配置であってもよい。
【００１９】
図４、図５に示すように、底板２０の上面には、上記発光装置３０の光源３１に対峙する位置に光反射部２３が設けられている。光反射部２３は、光源３１から入射された光を底板２０内に拡散反射させている。この実施形態の光反射部２３は、底板２０の上面にすり鉢状の窪みを形成したものである。尚、光反射部２３として、底板２０の上面に、表面が微視的に平坦ではなくこの表面に当たった光をあらゆる方向に拡散させる樹脂製フィルムを張り付けてもよく、底板２０の上面にブラスト処理等の粗面化処理を施してもよい。
【００２０】
底板２０の外周縁部の上面は、底板２０内を伝播した光を出射させる光出射部２４となっている。光出射部２４の表面には、シボ処理等により細かい凹凸が形成されており、出射される光を均一化して拡散させるようになっている。この実施形態では、光出射部２４は、底板２０の他の部位より高く形成されているが、同じ高さに形成してもよく、低く形成してもよい。
【００２１】
遮蔽板４０は、底板２０の上部に、上記光出射部２４を除いて底板２０を覆うように設けられている。遮蔽板４０は、ゴム等によって形成され、弾性と遮光性を有している。遮蔽板４０は、底板２０の上面を保護するとともに、底板２０内を伝播する光６が光出射部２４以外の底板２０の上面から外部に放出されることを防止している。遮蔽板４０の外周縁部の上面には、平面視における長辺部分を除き、隆起部４１が設けられている。
【００２２】
上述した構成のカップホルダ１では、ホルダ本体１０の周壁１１と、周壁１１の下部に設置された底板２０と、パーティション５０のフラップ５１とにより、上方から挿し入れられた飲料容器３を収容して保持することができる。
【００２３】
図４に示すように、発光装置３０を点灯させると、光源３１の光６は、底板２０を透過して光反射部２３に当たり底板２０内に拡散反射され、底板２０の表裏の面に対して反射を繰り返しながら伝播する。底板２０内をその外周縁部に向かって導かれた光６は、光出射部２４からカップホルダ１内に放出される。これにより、光出射部２４が光って見えるとともに、ホルダ本体１０の周壁１１が照らされる。
【００２４】
上記カップホルダ１内に収容された飲料容器３において、その外面に結露した水滴が流れ落ちたり、走行中の振動やその他の要因により飲料がカップホルダ１内にこぼれたりする場合がある。このとき、水滴や飲料等の液体７は、底板２０の上面に形成された外周縁に向かって低くなる勾配により、遮蔽板４０上をホルダ本体１０の周壁１１に向かって流れ、図５に示すように、底板２０と周壁１１との間の隙間４（排液経路）からカップホルダ１の下方に排出される。これにより、カップホルダ１内に液体７が溜まることを防止できる。底板２０の上面の勾配により、カップホルダ１の排液性が高められている。
【００２５】
光出射部２４に液体７が流れても、隣接する隙間４（排液経路）から排出されるので、照明効果は妨げられない。尚、遮蔽板４０上において、液体７は、隆起部４１のない平面視における長辺部分から主に排出されることになるので、２つの容器収容空間１４，１４における光出射部２４には、液体７が流れ込みにくくなっている。また、発光装置３０は、隙間４（排液経路）のある底板２０の外周縁から離れて設置されているので、隙間４から液体７が排出されたとしても、被水したり、被水により故障したりすることを防ぐことができる。
【００２６】
上記実施形態によれば、ホルダ本体の底壁を廃し、別体の底板を設置してカップホルダに排液経路を設けることにより、カップホルダ内でのこぼれた飲料等の液体の滞留を防止できる。また、ホルダ本体の下側開口部を閉じる底板が導光板を兼ねることにより、部品点数を減らした簡素な構成によりカップホルダに照明を提供できる。
【００２７】
なお、この発明は、上記実施形態に限定されるものではなく、その要旨を逸脱しない範囲において適宜変更可能である。
上記実施形態では、底板の周縁とホルダ本体の周壁との間の隙間（排液経路）は、全周にわたって形成されているが、間欠的に形成されてもよい。
上記実施形態では、光出射部を底板の外周縁部に設けたが、底板の任意の場所に設けてもよい。
上記実施形態では、底板と遮蔽板とは別部材で形成したが、二色成形によって一体に成形してもよい。
発光装置は、底板の外周縁の隙間（排液経路）から離れて配置されるが、配置場所によっては、被水を避けるために発光装置の周囲をパッキンで覆ってもよい。
遮蔽板には、隆起部を設けなくてもよい。
【産業上の利用可能性】
【００２８】
本発明は、車両の室内に装備されて、飲料容器を収容して保持するカップホルダに適用することができる。
【符号の説明】
【００２９】
１    カップホルダ
２    センターコンソール
３    飲料容器
４    隙間（排液経路）
７    液体
１０  ホルダ本体
１１  周壁
１１ａ  嵌合凹部
１２  下側開口部
１４  容器収容空間
１５  係止部
１５ａ  係止穴
２０  底板
２１  係止爪
２２  保持板部
２３  光反射部
２４  光出射部
３０  発光装置
３１  光源
４０  遮蔽板
４１  隆起部
５０  パーティション
５１  フラップ
５３  嵌合突起
【図１】
2020114702.tif 000003
【図２】
2020114702.tif 000004
【図３】
2020114702.tif 000005
【図４】
2020114702.tif 000006
【図５】
2020114702.tif 000007